(57)【要約】【課題】携帯電話機１が装着されている状態で、設置されている場所に応じて適切な報知動作パターンが自動的に設定される充電器３を提供する。【解決手段】本発明に係る充電器３は、自装置の現在位置を表わす位置情報を送信すると共に着信があったときに着信通知信号を送信することが可能な携帯電話機１を充電するものであって、着信を報知するためのＬＥＤ36及びバイブレータ38と、位置毎に報知動作パターン情報が格納されているメモリ39とを具えている。マイクロコンピュータ31は、携帯電話機１が装着されている状態でメモリ39に格納されている複数の報知動作パターン情報の中から受信された位置情報に応じた報知動作パターン情報を選択する手段と、携帯電話機１が装着されている状態で着信通知信号が受信されたとき、選択されている報知動作パターン情報に応じてＬＥＤ36やバイブレータ38による報知動作を制御する手段とを具えている。【選択図】図２
2010011044.tif 000002
【特許請求の範囲】
【請求項１】
自装置の現在位置を検出して、その検出結果を表わす位置情報を送信すると共に着信があったときに着信通知信号を送信することが可能な携帯通信端末装置の充電器であって、携帯通信端末装置が装着されている状態で該携帯通信端末装置を充電することが可能であって、
携帯通信端末装置から位置情報を受信する位置情報受信手段と、
携帯通信端末装置から着信通知信号を受信する着信通知信号受信手段と、
音響、振動若しくは光、又はこれらの組合せによって、着信を報知する報知手段と、
位置毎に前記報知手段の動作パターンを表わす報知動作パターン情報が格納されている情報格納手段と、
前記報知手段の報知動作を制御する制御手段
とを具え、該制御手段は、
携帯通信端末装置が装着されている状態で、前記情報格納手段に格納されている複数の報知動作パターン情報の中から前記位置情報受信手段によって受信された位置情報に応じた報知動作パターン情報を選択する選択手段と、
携帯通信端末装置が装着されている状態で前記着信通知信号受信手段によって着信通知信号が受信されたとき、前記選択手段によって選択されている報知動作パターン情報に応じた動作パターンで前記報知手段を動作させる報知動作制御手段
とを具えていることを特徴とする充電器。
【請求項２】
１或いは複数の操作ボタンからなる操作手段を具えており、前記制御手段は、
携帯通信端末装置が装着されている状態で、前記操作手段に対する情報設定開始操作に応じて、携帯通信端末装置に対して位置情報の送信を要求する送信要求手段と、
前記送信要求手段による要求動作が実行された後、前記位置情報受信手段によって受信された位置情報が表わす位置について、前記操作手段に対する情報設定操作に応じた報知動作パターン情報を前記情報格納手段に格納する情報処理手段
とを具えている請求項１に記載の充電器。
【請求項３】
携帯通信端末装置が装着されたことを検知する装着検知手段を具え、前記制御手段は、前記装着検知手段によって携帯通信端末装置が装着されたことが検知されたとき、該携帯通信端末装置に対して位置情報の送信を要求する第２送信要求手段を具えており、前記選択手段は、前記第２送信要求手段による要求動作が実行された後に報知動作パターン情報の選択動作を実行する請求項１又は請求項２に記載の充電器。
【請求項４】
前記情報格納手段には、前記位置情報受信手段によって受信された位置情報に応じた報知動作パターン情報が格納されていないときの通常報知動作パターン情報が格納されており、前記選択手段は、前記位置情報受信手段によって受信された位置情報に応じた報知動作パターン情報が前記情報格納手段に格納されていないとき、前記通常報知動作パターン情報を選択する請求項１乃至請求項３の何れかに記載の充電器。
【請求項５】
商用電源から電力の供給を受けて、携帯通信端末装置に対し電力を供給する電力供給手段と、
商用電源から前記電力供給手段に対する電力の供給が停止されたことを検知する電力供給停止検知手段と、
前記選択手段によって選択されている報知動作パターン情報を更新する必要があるか否かを表わすフラグが格納されているフラグ格納手段
とを具え、前記制御手段は、
前記電力供給停止検知手段によって商用電源から前記電力供給手段に対する電力の供給が停止されたことが検知されたとき、前記フラグ格納手段に格納されているフラグを報知動作パターン情報の更新が必要である旨を表わす値に書き換える手段と、
前記選択手段によって報知動作パターン情報の選択動作が実行されたとき、前記フラグ格納手段に格納されているフラグを報知動作パターン情報の更新は不要である旨を表わす値に書き換える手段
とを具え、前記第２送信要求手段は、前記フラグ格納手段に格納されているフラグが報知動作パターン情報の更新が必要である旨を表わす値をとっている場合に送信要求動作を実行する請求項３又は請求項４に記載の充電器。
【請求項６】
携帯通信端末装置と、該携帯通信端末装置が装着されている状態で該携帯通信端末装置の充電を行なう充電器とを具えた充電システムにおいて、携帯通信端末装置は、
自装置の現在位置を検出する位置検出手段と、
前記位置検出手段から得られた位置情報を充電器に送信する位置情報送信手段と、
着信があったときに着信通知信号を充電器に送信する着信通知手段
とを具えている一方、充電器は、
携帯通信端末装置から位置情報を受信する位置情報受信手段と、
携帯通信端末装置から着信通知信号を受信する着信通知信号受信手段と、
音響、振動若しくは光、又はこれらの組合せによって、着信を報知する報知手段と、
位置毎に前記報知手段の動作パターンを表わす報知動作パターン情報が格納されている情報格納手段と、
前記報知手段の報知動作を制御する制御手段
とを具え、該制御手段は、
携帯通信端末装置が装着されている状態で、前記情報格納手段に格納されている複数の報知動作パターン情報の中から前記位置情報受信手段によって受信された位置情報に応じた報知動作パターン情報を選択する選択手段と、
携帯通信端末装置が装着されている状態で前記着信通知信号受信手段によって着信通知信号が受信されたとき、前記選択手段によって選択されている報知動作パターン情報に応じた動作パターンで前記報知手段を動作させる報知動作制御手段
とを具えていることを特徴とする充電システム。
【請求項７】
充電器に装着されることにより、該状態が検知されて、充電が開始される携帯通信端末装置において、
自装置の現在位置を検出する位置検出手段と、
音響、振動若しくは光、又はこれらの組合せによって、着信を報知する報知手段と、
位置毎に前記報知手段の動作パターンを表わす報知動作パターン情報が格納されている情報格納手段と、
前記報知手段の報知動作を制御する制御手段
とを具え、該制御手段は、
充電器に装着されている状態で、前記情報格納手段に格納されている複数の報知動作パターン情報の中から前記位置検出手段によって検出された位置に応じた報知動作パターン情報を選択する選択手段と、
充電器に装着されている状態で着信があったとき、前記選択手段によって選択されている報知動作パターン情報に応じた動作パターンで前記報知手段を動作させる報知動作制御手段
とを具えていることを特徴とする携帯通信端末装置。
【請求項８】
前記制御手段は、
ユーザによる情報設定開始操作に応じて、前記位置検出手段に位置検出動作を指令する位置検出動作指令手段と、
前記位置検出動作指令手段による指令動作が実行された後、前記位置検出手段によって検出された位置について、ユーザによる情報設定操作に応じた報知動作パターン情報を前記情報格納手段に格納する情報処理手段
とを具えている請求項７に記載の携帯通信端末装置。
【請求項９】
充電器に装着されたことを検知する装着検知手段を具え、前記制御手段は、前記装着検知手段によって充電器に装着されたことが検知されたとき、前記位置検出手段に位置検出動作を指令する第２位置検出動作指令手段を具えており、前記選択手段は、前記第２位置検出動作指令手段による指令動作が実行された後に報知動作パターン情報の選択動作を実行する請求項７又は請求項８に記載の携帯通信端末装置。
【請求項１０】
前記情報格納手段には、前記位置検出手段によって検出された位置に応じた報知動作パターン情報が格納されていないときの通常報知動作パターン情報が格納されており、前記選択手段は、前記位置検出手段によって検出された位置に応じた報知動作パターン情報が前記情報格納手段に格納されていないとき、前記通常報知動作パターン情報を選択する請求項７乃至請求項９の何れかに記載の携帯通信端末装置。
【請求項１１】
前記情報格納手段には、充電器に装着されていない状態で着信があったときの非装着時報知動作パターン情報が格納されており、前記報知動作制御手段は、充電器に装着されていない状態で着信があったときに、該非装着時報知動作パターン情報に応じた動作パターンで前記報知手段を動作させる請求項７乃至請求項１０の何れかに記載の携帯通信端末装置。
【請求項１２】
携帯通信端末装置と、該携帯通信端末装置が装着されている状態で該携帯通信端末装置の充電を行なう充電器とを具えた充電システムにおいて、携帯通信端末装置は、
自装置の現在位置を検出する位置検出手段と、
音響、振動若しくは光、又はこれらの組合せによって、着信を報知する報知手段と、
位置毎に前記報知手段の動作パターンを表わす報知動作パターン情報が格納されている情報格納手段と、
前記報知手段の報知動作を制御する制御手段
とを具え、該制御手段は、
充電器に装着されている状態で、前記情報格納手段に格納されている複数の報知動作パターン情報の中から前記位置検出手段によって検出された位置に応じた報知動作パターン情報を選択する選択手段と、
充電器に装着されている状態で着信があったとき、前記選択手段によって選択されている報知動作パターン情報に応じた動作パターンで前記報知手段を動作させる報知動作制御手段
とを具えていることを特徴とする充電システム。
【発明の詳細な説明】
【技術分野】
【０００１】
本発明は、自装置の現在位置を検出することが可能な携帯通信端末装置及びその充電器、並びに充電システムに関するものである。
【背景技術】
【０００２】
従来より、携帯電話機には電源として二次電池が内蔵されており、該二次電池は充電器によって充電することが可能である。例えばユーザは帰宅後に携帯電話機を充電器に装着することによって、携帯電話機の二次電池が充電される。
ところで、携帯電話機においては、メロディ等の音響による報知動作をオフ、バイブレータによる報知動作をオンとする“マナーモード”と称される報知モードが用意されており、外出中に携帯電話機をマナーモードに設定して、帰宅後に該携帯電話機をマナーモードのまま充電器に装着した場合、着信時に音響による報知が行なわれず、着信に気が付かない虞がある。
【０００３】
そこで、充電器に装着されている状態では強制的に着信音を出力する携帯電話機や、携帯電話機が装着されている状態で携帯電話機に着信があったときに音声による報知を行なう充電器が提案されている(特許文献１及び特許文献２参照)。
しかしながら、充電器は、自宅に限らず、勤務先、出張先、電車内等、自宅以外の場所で使用されることもあり、例えば勤務先で携帯電話機を充電すべく充電器に装着した場合には、着信時に音響による報知が行なわれ、周囲に迷惑をかける虞がある。
そこで、充電器に着信音の有効／無効状態を設定することが可能であって、充電器に装着されている状態では充電器に設定されている着信音有効／無効状態に応じて着信の報知を行なう携帯電話装置が提案されている(特許文献３参照)。
【０００４】
【特許文献１】特開２００３−２５８９４２号公報
【特許文献２】特開２０００−３０７６８５号公報
【特許文献３】特開２００３−３３３１３１号公報
【発明の開示】
【発明が解決しようとする課題】
【０００５】
しかしながら、充電器に設定されている着信音有効／無効状態に応じて着信の報知を行なう従来の携帯電話装置においては、自宅では充電器の着信音を有効状態に設定して充電を行ない、その後、該充電器を着信音有効状態に設定したまま勤務先に設置して該充電器に装着したとすると、着信時に着信音による報知が行なわれ、周囲に迷惑をかける虞がある。逆に、勤務先で充電器の着信音を無効状態に設定して充電を行ない、その後、該充電器を着信音無効状態に設定したまま自宅に設置して該充電器に装着したとすると、着信時に着信音による報知が行なわれず、着信に気が付かない虞がある。
そこで本発明の目的は、携帯電話機等の携帯通信端末装置が装着されている状態で、設置されている場所に応じて適切な報知動作パターンが自動的に設定される充電器、及びこれを具えた充電システムを提供することである。
又、本発明の目的は、充電器に装着されている状態で、該充電器が設置されている場所に応じて適切な報知動作パターンが自動的に設定される携帯通信端末装置、及びこれを具えた充電システムを提供することである。
【課題を解決するための手段】
【０００６】
本発明に係る充電器は、自装置の現在位置を検出して、その検出結果を表わす位置情報を送信すると共に着信があったときに着信通知信号を送信することが可能な携帯通信端末装置を充電するものであって、携帯通信端末装置が装着されている状態で該携帯通信端末装置を充電することが可能である。そして、該充電器は、
携帯通信端末装置から位置情報を受信する位置情報受信手段と、
携帯通信端末装置から着信通知信号を受信する着信通知信号受信手段と、
音響、振動若しくは光、又はこれらの組合せによって、着信を報知する報知手段と、
位置毎に前記報知手段の動作パターンを表わす報知動作パターン情報が格納されている情報格納手段と、
前記報知手段の報知動作を制御する制御手段
とを具え、該制御手段は、
携帯通信端末装置が装着されている状態で、前記情報格納手段に格納されている複数の報知動作パターン情報の中から前記位置情報受信手段によって受信された位置情報に応じた報知動作パターン情報を選択する選択手段と、
携帯通信端末装置が装着されている状態で前記着信通知信号受信手段によって着信通知信号が受信されたとき、前記選択手段によって選択されている報知動作パターン情報に応じた動作パターンで前記報知手段を動作させる報知動作制御手段
とを具えている。
【０００７】
上記本発明に係る充電器においては、選択手段によって、携帯通信端末装置が装着されている状態で該携帯通信端末装置から受信された位置情報に応じた報知動作パターン情報が選択されて、設置されている場所に応じた報知動作パターンが自動的に設定される。従って、例えば、自宅に設置して携帯通信端末装置を装着すると、報知動作パターンは“音響による報知”に設定されて、着信時に音響による報知が行なわれるが、その後、報知動作パターンの設定変更操作を何ら行なうことなく勤務先に設置して携帯通信端末装置を装着したとしても、報知動作パターンは“振動及び光による報知”に設定されて、着信時に振動及び光による報知が行なわれることとなり、周囲に迷惑をかけることを防止することが出来る。逆に、勤務先に設置して携帯通信端末装置の充電を行ない、その後、報知動作パターンの設定変更操作を何ら行なうことなく自宅に設置して通信端末装置を装着したとしても、着信時に音響による報知が行なわれることとなり、着信を知ることが出来る。又、例えば勤務先では着信音の音量を最小値に絞っていた場合でも、自宅では、携帯通信端末装置を装着することによって、着信音の音量は自動的に大きな値に設定されるので、離れた位置からも着信を知ることが出来る。
【０００８】
具体的には、１或いは複数の操作ボタンからなる操作手段を具えており、前記制御手段は、
携帯通信端末装置が装着されている状態で、前記操作手段に対する情報設定開始操作に応じて、携帯通信端末装置に対して位置情報の送信を要求する送信要求手段と、
前記送信要求手段による要求動作が実行された後、前記位置情報受信手段によって受信された位置情報が表わす位置について、前記操作手段に対する情報設定操作に応じた報知動作パターン情報を前記情報格納手段に格納する情報処理手段
とを具えている。
【０００９】
上記具体的構成においては、携帯通信端末装置を装着した状態で操作手段に対して情報設定開始操作を行なった後、情報設定操作を行なうことによって、そのときの設置位置について、ユーザにとって適切な報知動作パターン情報を情報格納手段に格納することが出来る。
【００１０】
又、具体的には、携帯通信端末装置が装着されたことを検知する装着検知手段を具え、前記制御手段は、前記装着検知手段によって携帯通信端末装置が装着されたことが検知されたとき、該携帯通信端末装置に対して位置情報の送信を要求する第２送信要求手段を具えており、前記選択手段は、前記第２送信要求手段による要求動作が実行された後に報知動作パターン情報の選択動作を実行する。
該具体的構成によれば、携帯通信端末装置が装着されたときに、そのときの設置位置に応じた報知動作パターンが設定されるので、その後、着信があったときに、設定されている報知動作パターンに応じて速やかに報知を行なうことが出来る。
【００１１】
更に具体的には、前記情報格納手段には、前記位置情報受信手段によって受信された位置情報に応じた報知動作パターン情報が格納されていないときの通常報知動作パターン情報が格納されており、前記選択手段は、前記位置情報受信手段によって受信された位置情報に応じた報知動作パターン情報が前記情報格納手段に格納されていないとき、前記通常報知動作パターン情報を選択する。
該具体的構成においては、情報格納手段に報知動作パターン情報が格納されていない位置に設置されて携帯通信端末装置が装着された場合に、通常報知動作パターン情報が選択され、該通常報知動作パターン情報に応じた動作パターンで報知が行なわれる。
【００１２】
更に又、具体的には、
商用電源から電力の供給を受けて、携帯通信端末装置に対し電力を供給する電力供給手段と、
商用電源から前記電力供給手段に対する電力の供給が停止されたことを検知する電力供給停止検知手段と、
前記選択手段によって選択されている報知動作パターン情報を更新する必要があるか否かを表わすフラグが格納されているフラグ格納手段
とを具え、前記制御手段は、
前記電力供給停止検知手段によって商用電源から前記電力供給手段に対する電力の供給が停止されたことが検知されたとき、前記フラグ格納手段に格納されているフラグを報知動作パターン情報の更新が必要である旨を表わす値に書き換える手段と、
前記選択手段によって報知動作パターン情報の選択動作が実行されたとき、前記フラグ格納手段に格納されているフラグを報知動作パターン情報の更新は不要である旨を表わす値に書き換える手段
とを具え、前記第２送信要求手段は、前記フラグ格納手段に格納されているフラグが報知動作パターン情報の更新が必要である旨を表わす値をとっている場合に送信要求動作を実行する。
【００１３】
充電器の電源プラグが商用電源のコンセントに差し込まれた状態が維持されている場合には、充電器が設置されている場所に変化はなく、設定されている報知動作パターンを変更する必要はない。
上記具体的構成においては、例えば電源プラグが商用電源のコンセントから抜かれたときに、商用電源から電力供給手段に対する電力の供給が停止されたことが検知されて、フラグ格納手段に格納されているフラグが報知動作パターン情報の更新が必要である旨を表わす値に書き換えられる。従って、電源プラグが商用電源のコンセントに差し込まれて商用電源から電力供給手段に対する電力の供給が開始された後、初めて携帯通信端末装置が装着されたときに、位置情報の送信要求動作及び報知動作パターン情報の選択動作が行なわれて、設定されている報知動作パターンが変更されることになる。又、このとき、フラグが報知動作パターン情報の更新が不要である旨に書き換えられるので、その後、電力供給手段に対する電力供給状態が維持された状態で２回目以降に携帯通信端末装置が装着されたときには、位置情報の送信要求動作及び報知動作パターン情報の選択動作は行なわれない。
上述の如く、上記具体的構成によれば、商用電源から電力供給手段に対する電力の供給が開始された後、初めて携帯通信端末装置が装着されたときに限って、設定されている報知動作パターンを変更する動作が実行される。
【００１４】
本発明に係る充電システムは、自装置の現在位置を検出して、その検出結果を表わす位置情報を送信すると共に着信があったときに着信通知信号を送信することが可能な携帯通信端末装置と、該携帯通信端末装置が装着されている状態で該携帯通信端末装置の充電を行なう充電器とを具え、該充電器として、上記本発明に係る携帯通信端末装置を採用したものである。
【００１５】
本発明に係る携帯通信端末装置は、充電器に装着されることにより、該状態が検知されて、充電が開始されるものであって、
自装置の現在位置を検出する位置検出手段と、
音響、振動若しくは光、又はこれらの組合せによって、着信を報知する報知手段と、
位置毎に前記報知手段の動作パターンを表わす報知動作パターン情報が格納されている情報格納手段と、
前記報知手段の報知動作を制御する制御手段
とを具え、該制御手段は、
充電器に装着されている状態で、前記情報格納手段に格納されている複数の報知動作パターン情報の中から前記位置検出手段によって検出された位置に応じた報知動作パターン情報を選択する選択手段と、
充電器に装着されている状態で着信があったとき、前記選択手段によって選択されている報知動作パターン情報に応じた動作パターンで前記報知手段を動作させる報知動作制御手段
とを具えている。
【００１６】
上記本発明に係る携帯通信端末装置においては、選択手段によって、充電器に装着されている状態で検出された位置に応じた報知動作パターン情報が選択されて、設置されている場所に応じた報知動作パターンが自動的に設定される。従って、例えば、自宅で充電器に装着すると、報知動作パターンは“音響による報知”に設定されて、着信時に音響による報知が行なわれるが、その後、勤務先で、報知動作パターンの設定変更操作を何ら行なうことなく充電器に装着したとしても、報知動作パターンは“振動及び光による報知”に設定されて、着信時に振動及び光による報知が行なわれることとなり、周囲に迷惑をかけることを防止することが出来る。逆に、勤務先で充電器に装着して充電を行ない、その後、自宅で、報知動作パターンの設定変更操作を何ら行なうことなく充電器に装着したとしても、着信時に音響による報知が行なわれることとなり、着信を知ることが出来る。又、例えば勤務先では着信音の音量を最小値に絞っていた場合でも、自宅では、携帯通信端末装置を装着することによって、着信音の音量は自動的に大きな値に設定されるので、離れた位置からも着信を知ることが出来る。
【００１７】
具体的には、前記制御手段は、
ユーザによる情報設定開始操作に応じて、前記位置検出手段に位置検出動作を指令する位置検出動作指令手段と、
前記位置検出動作指令手段による指令動作が実行された後、前記位置検出手段によって検出された位置について、ユーザによる情報設定操作に応じた報知動作パターン情報を前記情報格納手段に格納する情報処理手段
とを具えている。
【００１８】
上記具体的構成においては、情報設定開始操作を行なった後、情報設定操作を行なうことによって、そのときの設置位置について、ユーザにとって適切な報知動作パターン情報を情報格納手段に格納することが出来る。
【００１９】
又、具体的には、充電器に装着されたことを検知する装着検知手段を具え、前記制御手段は、前記装着検知手段によって充電器に装着されたことが検知されたとき、前記位置検出手段に位置検出動作を指令する第２位置検出動作指令手段を具えており、前記選択手段は、前記第２位置検出動作指令手段による指令動作が実行された後に報知動作パターン情報の選択動作を実行する。
該具体的構成によれば、充電器に装着されたときに、そのときの設置位置に応じた報知動作パターンが設定されるので、その後、着信があったときに、設定されている報知動作パターンに応じて速やかに報知を行なうことが出来る。
【００２０】
更に具体的には、前記情報格納手段には、前記位置検出手段によって検出された位置に応じた報知動作パターン情報が格納されていないときの通常報知動作パターン情報が格納されており、前記選択手段は、前記位置検出手段によって検出された位置に応じた報知動作パターン情報が前記情報格納手段に格納されていないとき、前記通常報知動作パターン情報を選択する。
該具体的構成においては、報知動作パターン情報が情報格納手段に格納されていない位置で充電器に装着された場合に、通常報知動作パターン情報が選択され、該通常報知動作パターン情報に応じた動作パターンで報知が行なわれる。
【００２１】
更に又、具体的には、前記情報格納手段には、充電器に装着されていない状態で着信があったときの非装着時報知動作パターン情報が格納されており、前記報知動作制御手段は、充電器に装着されていない状態で着信があったときに、該非装着時報知動作パターン情報に応じた動作パターンで前記報知手段を動作させる。
該具体的構成によれば、充電器に装着されている状態で着信があったときと充電器に装着されていない状態で着信があったときとで、報知動作パターンが自動的に切り替わる。
【００２２】
本発明に係る充電システムは、携帯通信端末装置と、該携帯通信端末装置が装着されている状態で該携帯通信端末装置の充電を行なう充電器とを具え、該携帯通信端末装置として、上記本発明に係る携帯通信端末装置を採用したものである。
【発明の効果】
【００２３】
本発明に係る充電器及びこれを具えた充電システムによれば、携帯通信端末装置を装着するだけで、設置されている場所に応じて適切な報知動作パターンが自動的に設定される。
又、本発明に係る携帯通信端末装置及びこれを具えた充電システムによれば、充電器に装着するだけで、該充電器が設置されている場所に応じて適切な報知動作パターンが自動的に設定される。
【発明を実施するための最良の形態】
【００２４】
以下、本発明を、携帯電話機及びその充電器からなる充電システムに実施した形態につき、２つの実施例に基づいて具体的に説明する。
第１実施例
図１は、本実施例の携帯電話機(１)及びその充電器(３)を表わしている。図示の如く、携帯電話機(１)は、ケーシング(10)の前面にディスプレイ(16)及び操作キー(17)を具えている一方、充電器(３)は、ケーシング(30)の上面に携帯電話機(１)の収容凹部(302)を具えており、携帯電話機(１)を充電器(３)の収容凹部(302)に設置することによって、携帯電話機(１)に設けられた一対の充電端子(100)(100)と充電器(３)に設けられた一対の電源供給端子(300)(300)とが互いに接触し、携帯電話機(１)に内蔵された二次電池(図示省略)が充電される。
又、本実施例の携帯電話機(１)と充電器(３)は互いに通信を行なうことが可能であって、携帯電話機(１)及び充電器(３)にはそれぞれ通信端子(101)(301)が設けられている。上述の如く携帯電話機(１)を充電器(３)の収容凹部(302)に設置することによって、携帯電話機(１)の通信端子(101)と充電器(３)の通信端子(301)とが互いに接触し、携帯電話機(１)と充電器(３)との間で通信が可能となる。
【００２５】
充電器(３)は、携帯電話機(１)が装着されている状態で携帯電話機(１)に着信があったときに着信を報知する機能を有しており、ケーシング(30)の上面には、ディスプレイ(35)、複数(図示する例では２つ)のＬＥＤ(発光ダイオード)(36)(36)、及び複数(図示する例では３つ)の操作ボタン(34)(34)(34)が配備されると共に、ケーシング(30)の側面には、内蔵されたスピーカ(図示省略)からの音声の放音孔(303)が開設されている。
【００２６】
図２は、本実施例の携帯電話機(１)及び充電器(３)の電気的構成を表わしており、携帯電話機(１)は、送受信回路、変復調回路、音声処理回路等からなる電話回路(11)を具えている。又、該携帯電話機(１)は、ＧＰＳ(Global  Positioning  System)測位機能を有しており、アンテナによって受信された信号に基づいて自装置の現在位置の経度、緯度及び高度を測定するＧＰＳ処理回路(12)を具えている。電話回路(11)及びＧＰＳ処理回路(12)には、マイクロコンピュータ(13)が接続されており、マイクロコンピュータ(13)によって電話回路(11)及びＧＰＳ処理回路(12)の動作が制御されている。マイクロコンピュータ(13)には、上記のディスプレイ(16)及び操作キー(17)が接続されると共に、マイクロフォン(14)、スピーカ(15)、バイブレータ(18)及びメモリ(22)が接続されている。
上記一対の充電端子(100)(100)は、充電回路(20)を介して電源となる二次電池(19)に接続されている。充電端子(100)には電源検出回路(21)が接続されており、電源検出回路(21)は、充電器(３)から供給される電源電圧の有無を検出して、その検出結果をマイクロコンピュータ(13)に供給する。これによって、充電回路(20)の動作が制御されると共に、充電器(３)に装着されているか否かが判別される。又、上記通信端子(101)は、マイクロコンピュータ(13)に接続されている。
【００２７】
一方、充電器(３)は、商用電源から得られるＡＣ１００Ｖの電源を直流に変換するコンバータ(32)と、これによって得られる直流電源を携帯電話機(１)に供給する電源供給回路(33)とを具えており、電源供給回路(33)の出力端は、上記一対の電源供給端子(300)(300)に接続されている。
該充電器(３)は、マイクロコンピュータ(31)を具えており、上記通信端子(301)が該マイクロコンピュータ(31)に接続されると共に、上記の操作ボタン(34)、ディスプレイ(35)及びＬＥＤ(36)が該マイクロコンピュータ(31)に接続されている。又、該マイクロコンピュータ(31)には、スピーカ(37)、バイブレータ(38)及びメモリ(39)が接続されている。該メモリ(39)には、複数種類のメロディについての音響データ、後述の地点管理テーブル、報知動作パターンテーブル、着信設定情報等が格納されている。
前記電源供給回路(33)の出力端には電話機検出回路(41)が接続されており、電話機検出回路(41)は、電源供給回路(33)から携帯電話機(１)に供給される電源電圧の有無を検出して、その検出結果をマイクロコンピュータ(31)に供給する。これによって、携帯電話機(１)が装着されているか否かが判別される。又、前記コンバータ(32)の入力端には電源検出回路(40)が接続されており、電源検出回路(40)は、商用電源から供給される電源電圧の有無を検出して、その検出結果をマイクロコンピュータ(31)に供給する。
【００２８】
本実施例の充電器(３)においては、携帯電話機(１)が装着されている状態で、着信があった場合のメロディ、ＬＥＤ(36)の点灯若しくはバイブレータ(38)の振動、又はこれらの組合せによる報知動作パターンを、設置されている場所に応じてユーザにとって好適な設定状態に自動的に切り換えることが可能であって、ユーザは予め、充電器(３)に対して後述の位置登録を行なう。
即ち、携帯電話機(１)を充電器(３)に装着し、この状態で充電器(３)に設けられている操作ボタン(34)に含まれる登録開始ボタンを押下すると、充電器(３)のマイクロコンピュータ(31)から携帯電話機(１)に対して位置情報を送信すべき旨の要求が発せられる。携帯電話機(１)のマイクロコンピュータ(13)は、該要求を受けて、ＧＰＳ処理回路(12)に対して位置測定動作を指令し、これに応じてＧＰＳ処理回路(12)は位置測定動作を実行する。マイクロコンピュータ(13)は、ＧＰＳ処理回路(12)による測定結果を表わす位置情報を充電器(３)に送信する。充電器(３)のマイクロコンピュータ(31)は、受信された位置情報を位置識別情報と共にメモリ(39)内の図９に示す地点管理テーブルに登録する。ここで、位置識別情報は自動的に作成される。
その後、ユーザは、充電器(３)に対して、位置情報が表わす位置を中心とする範囲を特定するための経度、緯度及び高度を表わす許容誤差情報を設定するための操作を行ない、マイクロコンピュータ(31)は、該操作に応じた許容誤差情報を前記地点管理テーブルに登録する。尚、許容誤差情報の設定は、例えば操作ボタン(34)を用いてディスプレイ(35)に表示された情報を選択することによって行なうことが出来る。
【００２９】
次にユーザは、充電器(３)に対して報知動作パターン情報を設定するための操作を行ない、マイクロコンピュータ(31)は、該操作に応じた報知動作パターン情報を前記位置識別情報と共にメモリ(39)内の図１０に示す報知動作パターンテーブルに登録する。報知動作パターン情報には、例えばメロディ、振動、若しくは光、或いはこれらの組合せの何れによる報知を行なうかを表わす報知種別情報、メロディパターン、振動の強弱パターン及び発光色を表わすパターン情報、音量レベル、振動の強弱及び発光量を表わすレベル情報等が含まれている。
尚、報知動作パターン情報の設定は、操作ボタン(34)を用いてディスプレイ(35)に表示された情報を選択することによって行なうことが出来る。
又、報知動作パターンテーブルには、位置登録の行なわれていない位置に充電器(３)が設置されているときに着信があった場合の通常の報知動作パターン情報が登録されている。該報知動作パターン情報は、ユーザ操作に応じて設定された値とデフォルト値として予め登録されている値との間で変更することが出来る。
【００３０】
上述の如く充電器(３)に対して位置登録が行なわれた後、充電器(３)の電源プラグが商用電源のコンセントに差し込まれて初めて該充電器(３)に携帯電話機(１)が装着されたとき、充電器(３)のマイクロコンピュータ(31)から携帯電話機(１)に対して位置情報を送信すべき旨の要求が発せられる。携帯電話機(１)のマイクロコンピュータ(13)は、該要求を受けて、ＧＰＳ処理回路(12)に対して位置測定動作を指令し、これに応じてＧＰＳ処理回路(12)は位置測定動作を実行する。マイクロコンピュータ(13)は、ＧＰＳ処理回路(12)による測定結果を表わす位置情報を充電器(３)に送信する。充電器(３)のマイクロコンピュータ(31)は、受信された位置情報が上述の地点管理テーブルに登録されているか否かを判断し、登録されている場合に、報知動作パターンテーブルから、受信された位置情報が表わす位置についての報知動作パターン情報を読み出し、該報知動作パターン情報を着信設定情報としてメモリ(39)に格納する。
一方、受信された位置情報が地点管理テーブルに登録されていない場合には、充電器(３)のマイクロコンピュータ(31)は、報知動作パターンテーブルから通常の報知動作パターン情報を読み出し、該報知動作パターン情報を着信設定情報としてメモリ(39)に格納する。
この様にして、携帯電話機(１)が装着されている状態で着信があったときの報知動作パターンが、充電器(３)が設置されている場所に応じて、ユーザにとって好適な設定状態に自動的に切り替えられることになる。
【００３１】
その後、携帯電話機(１)を充電器(３)に装着した状態で着信があった場合、携帯電話機(１)のマイクロコンピュータ(13)は、着信があったことを表わす着信通知信号を充電器(３)に送信する。充電器(３)のマイクロコンピュータ(31)は、該着信通知信号を受けて、メモリ(39)に格納されている着信設定情報を読み出し、読み出した着信設定情報に応じてメロディ、ＬＥＤ(36)の点灯若しくはバイブレータ(38)の振動又はこれらの組合せによる報知動作を行なう。この様にして、充電器(３)が設置されている場所に応じて、ユーザにとって好適な報知動作パターンで着信の報知が行なわれることになる。
尚、携帯電話機(１)のメモリ(22)には、従来と同様に、充電器(３)に装着されていない状態で着信があった場合の着信設定情報が格納されており、充電器(３)に装着されていない状態で着信があった場合には、該着信設定情報に応じて報知が行なわれる。
【００３２】
図３は、充電器(３)における位置登録手続きを表わしており、先ずステップＳ１にて登録開始ボタンが押下されたか否かを判断し、ノーと判断された場合は手続きを終了する一方、イエスと判断された場合はステップＳ２に移行して、携帯電話機が装着されているか否かを判断し、ノーと判断された場合は手続きを終了する。
携帯電話機が装着されていてステップＳ２にてイエスと判断された場合には、ステップＳ３に移行して、携帯電話機に対して位置情報を送信すべき旨の要求を発した後、ステップＳ４にて、携帯電話機から受信した位置情報を位置識別情報と共に地点管理テーブルに登録する。続いてステップＳ５では、ユーザ操作に応じた許容誤差情報を地点管理テーブルに登録した後、ステップＳ６では、ユーザ操作に応じた報知動作パターン情報を前記位置識別情報と共に報知動作パターンテーブルに登録して、手続きを終了する。
上記手続きによって、位置識別情報、位置情報及び許容誤差情報が図９に示す地点管理テーブルに登録されると共に、位置識別情報及び報知動作パターン情報が図１０に示す報知動作パターンテーブルに登録される。
【００３３】
図４は、充電器(３)における着信設定手続きを表わしている。尚、充電器(３)のメモリ(39)には、着信設定情報を更新する必要があるか否かを表わす着信設定フラグが格納されており、該フラグは、後述の如く、充電器(３)の電源プラグが商用電源のコンセントから抜かれたときに、着信設定情報を更新する必要があることを表わす“０”の値に設定される。
図示の如く、先ずステップＳ１１では、携帯電話機が装着されたか否かを判断し、ノーと判断された場合は手続きを終了する一方、イエスと判断された場合はステップＳ１２に移行して、着信設定フラグの値を判別する。
【００３４】
充電器の電源プラグが商用電源のコンセントに差し込まれた後、初めて携帯電話機が装着された場合には、着信設定フラグは“０”の値をとっているので、ステップＳ１２にてイエスと判断されてステップＳ１３に移行する。ステップＳ１３では、地点管理テーブルに少なくとも１つの位置情報が登録されているか否かを判断し、イエスと判断された場合は、ステップＳ１４に移行して、携帯電話機に対して位置情報を送信すべき旨の要求を発する。
続いてステップＳ１５では、携帯電話機から受信された位置情報が地点管理テーブルに登録されているか否かを判断する。具体的には、受信した位置情報が表わす位置が地点管理テーブルに登録されている位置情報と許容誤差情報によって特定される何れかの範囲内に入るか否かを判断する。
受信した位置情報が表わす位置が前記何れかの範囲内に入る場合に、受信した位置情報が地点管理テーブルに登録されていると判断されてステップＳ１６に移行し、地点管理テーブルから、受信した位置情報についての位置識別情報を読み出した後、報知動作パターンテーブルから該位置識別情報についての報知動作パターン情報を読み出し、該報知動作パターン情報を着信設定情報としてメモリに格納する。最後にステップＳ１７にて、着信設定フラグを着信設定情報を更新する必要がないことを表わす“１”の値に書き換えて、手続きを終了する。
【００３５】
地点管理テーブルに位置情報が登録されておらず、ステップＳ１３にてノーと判断された場合、及び携帯電話機から受信した位置情報が地点管理テーブルに登録されておらず、ステップＳ１５にてノーと判断された場合には、ステップＳ１８に移行して、報知動作パターンテーブルから通常の報知動作パターン情報を読み出し、該報知動作パターン情報を着信設定情報としてメモリに格納する。最後にステップＳ１９にて、着信設定フラグを“１”の値に書き換えて、手続きを終了する。
【００３６】
充電器の電源プラグが商用電源のコンセントに差し込まれた後、２回目以降に携帯電話機が装着された場合には、着信設定フラグが“１”の値をとっているのでステップＳ１２にてノーと判断されて、手続きを終了する。
【００３７】
上記手続きによって、充電器の電源プラグが商用電源のコンセントに差し込まれた後、初めて携帯電話機が装着されたときに限って、着信設定情報がメモリに格納されることになる。ここで、充電器が設置されている位置の位置情報が地点管理テーブルに登録されている場合には、報知動作パターンテーブルから該位置についての報知動作パターン情報が読み出され、該報知動作パターン情報が着信設定情報としてメモリに格納される。一方、充電器の設置されている位置の位置情報が地点管理テーブルに登録されていない場合には、報知動作パターンテーブルから通常の報知動作パターン情報が読み出され、該報知動作パターン情報が着信設定情報としてメモリに格納される。
【００３８】
図５は、充電器(３)における着信設定フラグ書換え手続きを表わしており、先ずステップＳ２１にて商用電源からの電源電圧の供給が停止されたか否かを判断し、ノーと判断された場合は手続きを終了する一方、イエスと判断された場合は、ステップＳ２２にて着信設定フラグを“０”の値に書き換えて、手続きを終了する。該手続きによって、充電器の電源プラグが商用電源のコンセントから抜かれたときに、着信設定フラグが“０”に書き換えられることになる。尚、充電器の電源プラグが商用電源のコンセントから抜かれた後であっても、少なくとも着信設定フラグが書き換えられるまでは、マイクロコンピュータ(31)は動作状態に維持される。
【００３９】
図６は、充電器(３)において着信時に実行される手続きを表わしており、先ずステップＳ３１にて携帯電話機からの着信通知信号が受信されたか否かを判断し、ノーと判断された場合は手続きを終了する一方、イエスと判断された場合は、ステップＳ３２にて、メモリに格納されている着信設定情報に応じた報知動作を実行して、手続きを終了する。
上記手続きによって、携帯電話機が装着されている状態で携帯電話機に着信があったとき、着信設定情報に応じた報知動作パターンで報知が行なわれることになる。
【００４０】
図７は、携帯電話機(１)における位置情報送信手続きを表わしており、先ずステップＳ４１にて充電器からの位置情報送信要求が受信されたか否かを判断し、ノーと判断された場合は手続きを終了する一方、イエスと判断された場合は、ステップＳ４２にて、位置測定動作を実行する。その後、ステップＳ４２にて、前記位置測定動作により得られた位置情報を充電器に送信して、手続きを終了する。
上記手続きによって、充電器に装着されている状態で該充電器から位置情報送信要求が受信されたとき、位置測定動作が実行され、これによって得られる位置情報が該充電器に送信されることになる。
【００４１】
図８は、携帯電話機(１)において着信時に実行される手続きを表わしており、先ずステップＳ５１にて着信があったか否かを判断し、ノーと判断された場合は手続きを終了する一方、イエスと判断された場合はステップＳ５２に移行して、充電器に装着されているか否かを判断する。充電器に装着されていない場合は、ステップＳ５３にて、メモリに格納されている着信設定情報に応じて報知動作を行なう通常の着信処理を実行して、手続きを終了する一方、充電器に装着されている場合には、ステップＳ５４にて、充電器に対して着信通知信号を送信して、手続きを終了する。
上記手続きによって、充電器に装着されていない状態で着信があったときには、従来と同じ着信処理が実行される一方、充電器に装着されている状態で着信があったときには、充電器に対して着信通知信号が送信されることになる。
【００４２】
上述の如く、本実施例の充電システムによれば、携帯電話機(１)を充電器(３)に装着するだけで、充電器(３)が設置されている場所に応じて、着信時の報知動作パターンをユーザにとって適切な設定状態に自動的に切り換えることが出来る。例えば、充電器(３)を自宅に設置して携帯電話機(１)を装着すると、報知動作パターンは“メロディによる報知”に設定されて、着信時にメロディによる報知が行なわれるが、その後、報知動作パターンの設定変更操作を何ら行なうことなく該充電器(３)を勤務先に設置して携帯電話機(１)を装着したとしても、報知動作パターンは“振動及び光による報知”に設定されて、着信時にバイブレータ(38)の振動及びＬＥＤ(36)の点灯による報知が行なわれることとなり、周囲に迷惑をかけることを防止することが出来る。逆に、充電器(３)を勤務先に設置して携帯電話機(１)の充電を行ない、その後、報知動作パターンの設定変更操作を何ら行なうことなく該充電器(３)を自宅に設置して携帯電話機(１)を装着したとしても、着信時にメロディによる報知が行なわれることとなり、確実に着信を知ることが出来る。又、例えば勤務先では静かなメロディパターンを設定していた場合でも、自宅では、携帯電話機(１)を装着することによって、騒がしいメロディパターンが自動的に設定されて、周囲が騒がしい場合であっても着信を知ることが出来る。
【００４３】
第２実施例
図１１は、本実施例の携帯電話機(５)及び充電器(６)の電気的構成を表わしており、携帯電話機(５)の全体構成は、通信端子を具えていない点を除いて、図２に示す第１実施例の携帯電話機(１)と同一であるので、具体的な説明は省略する。
一方、充電器(６)の全体構成は、従来の充電器と同一であって、商用電源から得られるＡＣ１００Ｖの電源を直流に変換するコンバータ(61)と、これによって得られる直流電源を携帯電話機(５)に供給する電源供給回路(62)とを具えており、電源供給回路(62)の出力端は、一対の電源供給端子(600)(600)に接続されている。
前記携帯電話機(５)を前記充電器(６)に装着することによって、携帯電話機(５)に設けられた一対の充電端子(100)(100)と充電器(６)に設けられた前記一対の電源供給端子(600)(600)とが互いに接触し、携帯電話機(５)に内蔵された二次電池(19)が充電される。
【００４４】
本実施例の充電システムにおいては、ユーザは予め、携帯電話機(５)に対して位置登録を行なう。
即ち、携帯電話機(５)に対して操作キー(17)を用いて位置登録を開始するための操作を行なうと、マイクロコンピュータ(51)は、ＧＰＳ処理回路(12)に対して位置測定動作を指令し、これに応じてＧＰＳ処理回路(12)は位置測定動作を実行する。マイクロコンピュータ(51)は、ＧＰＳ処理回路(12)による測定結果を表わす位置情報を位置識別情報と共にメモリ(52)内の地点管理テーブルに登録する。ここで、位置識別情報は自動的に作成される。地点管理テーブルの構成は、図９に示す第１実施例の地点管理テーブルと同一である。
その後、ユーザは、携帯電話機(５)に対して位置情報が表わす位置を中心とする範囲を特定するための許容誤差情報を設定するための操作を行ない、マイクロコンピュータ(51)は、該操作に応じた許容誤差情報を前記地点管理テーブルに登録する。尚、許容誤差情報の設定は、操作キー(17)を用いてディスプレイ(16)に表示された情報を選択することによって行なうことが出来る。
【００４５】
次にユーザは、携帯電話機(５)に対して報知動作パターン情報を設定するための操作を行ない、マイクロコンピュータ(51)は、該操作に応じた報知動作パターン情報を前記位置識別情報と共に報知動作パターンテーブルに登録する。尚、報知動作パターン情報の設定は、操作キー(17)を用いてディスプレイ(16)に表示された情報を選択することによって行なうことが出来る。報知動作パターンテーブルの構成は、図１０に示す第１実施例の報知動作パターンテーブルと同一である。
【００４６】
上述の如くユーザにより携帯電話機(５)に対して位置登録が行なわれた後、携帯電話機(５)が充電器(６)に装着されると、マイクロコンピュータ(51)は、ＧＰＳ処理回路(12)に対して位置測定動作を指令し、これに応じてＧＰＳ処理回路(12)は位置測定動作を実行する。マイクロコンピュータ(51)は、ＧＰＳ処理回路(12)による測定結果を表わす位置情報が地点管理テーブルに登録されているか否かを判断し、登録されている場合に、報知動作パターンテーブルから該位置情報が表わす位置についての報知動作パターン情報を読み出し、該報知動作パターン情報を装着時着信設定情報としてメモリ(52)に格納する。
一方、ＧＰＳ処理回路(12)から得られた位置情報が地点管理テーブルに登録されていない場合には、報知動作パターンテーブルから通常の報知動作パターン情報を読み出し、該報知動作パターン情報を装着時着信設定情報としてメモリ(52)に格納する。
この様にして、充電器(６)に装着されている状態で着信があったときの報知動作パターンが、充電器(６)が設置されている場所に応じて、ユーザにとって好適な設定状態に自動的に切り替えられることになる。
【００４７】
その後、携帯電話機(５)を充電器(６)に装着した状態で着信があると、マイクロコンピュータ(51)は、メモリ(52)に格納されている装着時着信設定情報を読み出し、読み出した装着時着信設定情報に応じて、メロディ若しくはバイブレータ(18)の振動又はこれらの組合せによる報知動作を行なう。この様にして、充電器(６)が設置されている場所に応じて、ユーザにとって好適な報知動作パターンで着信の報知が行なわれることになる。
尚、メモリ(52)には、従来と同様に、充電器(６)に装着されていない状態で着信があった場合の非装着時着信設定情報が格納されており、充電器(６)に装着されていない状態で着信があった場合には、該非装着時着信設定情報に応じて報知が行なわれる。
【００４８】
図１２は、携帯電話機(５)における位置登録手続きを表わしており、先ずステップＳ６１にて登録開始操作が行なわれたか否かを判断し、ノーと判断された場合は手続きを終了する一方、イエスと判断された場合はステップＳ６２に移行して、位置測定動作を実行した後、ステップＳ６３にて、前記位置測定動作によって得られた位置情報を位置識別情報と共に地点管理テーブルに登録する。続いてステップＳ６４では、ユーザ操作に応じた許容誤差情報を地点管理テーブルに登録した後、ステップＳ６５では、ユーザ操作に応じた報知動作パターン情報を前記位置識別情報と共に報知動作パターンテーブルに登録して、手続きを終了する。
上記手続きによって、位置識別情報、位置情報及び許容誤差情報が地点管理テーブルに登録されると共に、位置識別情報及び報知動作パターン情報が報知動作パターンテーブルに登録される。
【００４９】
図１３は、携帯電話機(５)における着信設定手続きを表わしており、先ずステップＳ７１では充電器に装着されたか否かを判断し、ノーと判断された場合は手続きを終了する一方、イエスと判断された場合は、ステップＳ７２に移行して、地点管理テーブルに少なくとも１つの位置情報が登録されているか否かを判断する。
ステップＳ７２にてイエスと判断された場合は、ステップＳ７３に移行して位置測定動作を実行した後、ステップＳ７４では、前記位置測定動作によって得られた位置情報が地点管理テーブルに登録されているか否かを判断する。具体的には、前記位置測定動作によって得られた位置情報が表わす位置が地点管理テーブルに登録されている位置情報と許容誤差情報によって特定される何れかの範囲内に入るか否かを判断する。
前記位置測定動作によって得られた位置情報が表わす位置が前記何れかの範囲内に入る場合に、該位置情報が地点管理テーブルに登録されていると判断されてステップＳ７５に移行し、地点管理テーブルから該位置情報についての位置識別情報を読み出した後、報知動作パターンテーブルから該位置識別情報に応じた報知動作パターン情報を読み出し、該報知動作パターン情報を装着時着信設定情報としてメモリに格納して、手続きを終了する。
【００５０】
地点管理テーブルに位置情報が登録されておらず、ステップＳ７２にてノーと判断された場合、及び位置測定動作によって得られた位置情報が地点管理テーブルに登録されておらず、ステップＳ７４にてノーと判断された場合には、ステップＳ７６に移行して、報知動作パターンテーブルから通常の報知動作パターン情報を読み出し、該報知動作パターン情報を装着時着信設定情報としてメモリに格納して、手続きを終了する。
【００５１】
上記手続きによって、充電器(６)に装着される度に装着時着信設定情報がメモリ(52)に格納されることになる。ここで、充電器(６)の設置されている位置の位置情報が地点管理テーブルに登録されている場合には、報知動作パターンテーブルから該位置についての報知動作パターン情報が読み出され、該報知動作パターン情報が装着時着信設定情報としてメモリ(42)に格納される。一方、充電器(６)の設置されている位置の位置情報が地点管理テーブルに登録されていない場合には、報知動作パターンテーブルから通常の報知動作パターン情報が読み出され、該報知動作パターン情報が装着時着信設定情報としてメモリ(52)に格納される。
【００５２】
図１４は、携帯電話機(５)において着信時に実行される手続きを表わしており、先ずステップＳ８１にて着信があったか否かを判断し、ノーと判断された場合は手続きを終了する一方、イエスと判断された場合はステップＳ８２にて、充電器に装着されているか否かを判断する。充電器に装着されていない場合は、ステップＳ８３にて、メモリに格納されている非装着時着信設定情報に応じた報知動作を実行して、手続きを終了する一方、充電器に装着されている場合には、ステップＳ８４にて、メモリに格納されている装着時着信設定情報に応じた報知動作を実行して、手続きを終了する。
上記手続きによって、充電器に装着されていない状態で着信があったときには、従来と同様に、非装着時着信設定情報に応じた報知が行なわれる一方、充電器に装着されている状態で着信があったときには、装着時着信設定情報に応じた報知が行なわれる。
【００５３】
上述の如く、本実施例の充電システムによれば、携帯電話機(５)を充電器(６)に装着するだけで、充電器(６)が設置されている場所に応じて、着信時の報知動作パターンをユーザにとって適切な設定状態に自動的に切り換えることが出来る。
【００５４】
尚、本発明の各部構成は上記実施の形態に限らず、特許請求の範囲に記載の技術的範囲内で種々の変形が可能である。
例えば第１実施例及び第２実施例においては、携帯電話機が装着されたことを検知する方式、及び充電器に装着されたことを検知する方式として、磁気センサ等の専用の検出センサを設ける方式を採用することも可能である。
又、第１実施例及び第２実施例においては、携帯電話機が充電器に装着されたときに、充電器が設置されている位置に応じた報知動作パターン情報を選択する動作を実行しているが、携帯電話機が充電器に装着されている状態で着信があったときに報知動作パターン情報を選択する動作を実行することも可能である。
更に、第２実施例においては、携帯電話機をケーシングの上面に開設された収容凹部に収容した状態で該携帯電話機の充電を行なう充電器を採用しているが、該充電器に限らず、ケーブルの先端に接続されたコネクタを携帯電話機の下端部に開設された開口部に差し込んで該コネクタの先端部を充電端子に接続した状態で携帯電話機の充電を行なう充電器を採用することも可能である。
【図面の簡単な説明】
【００５５】
【図１】第１実施例の携帯電話機及び充電器の外観を表わす斜視図である。
【図２】上記携帯電話機及び上記充電器の電気的構成を表わすブロック図である。
【図３】上記充電器における位置登録手続きを表わすフローチャートである。
【図４】上記充電器における着信設定手続きを表わすフローチャートである。
【図５】上記充電器における着信設定フラグ書換え手続きを表わすフローチャートである。
【図６】上記充電器において着信時に実行される手続きを表わすフローチャートである。
【図７】上記携帯電話機における位置情報送信手続きを表わすフローチャートである。
【図８】上記携帯電話機において着信時に実行される手続きを表わすフローチャートである。
【図９】地点登録テーブルを表わす図である。
【図１０】報知動作パターンテーブルを表わす図である。
【図１１】第２実施例の携帯電話機及び充電器の電気的構成を表わすブロック図である。
【図１２】上記携帯電話機における位置登録手続きを表わすフローチャートである。
【図１３】上記携帯電話機における着信設定手続きを表わすフローチャートである。
【図１４】上記携帯電話機において着信時に実行される手続きを表わすフローチャートである。
【符号の説明】
【００５６】
(１)  携帯電話機
(12)  ＧＰＳ処理回路
(13)  マイクロコンピュータ
(101)  通信端子
(３)  充電器
(31)  マイクロコンピュータ
(34)  操作ボタン
(35)  ディスプレイ
(36)  ＬＥＤ
(37)  スピーカ
(38)  バイブレータ
(39)  メモリ
(301)  通信端子
【図１】
2010011044.tif 000003
【図２】
2010011044.tif 000004
【図３】
2010011044.tif 000005
【図４】
2010011044.tif 000006
【図５】
2010011044.tif 000007
【図６】
2010011044.tif 000008
【図７】
2010011044.tif 000009
【図８】
2010011044.tif 000010
【図９】
2010011044.tif 000011
【図１０】
2010011044.tif 000012
【図１１】
2010011044.tif 000013
【図１２】
2010011044.tif 000014
【図１３】
2010011044.tif 000015
【図１４】
2010011044.tif 000016